(57)【要約】【課題】組み付け性を高めつつ組み付け状態の安定性を実現できる光学ユニットを提供する。【解決手段】第３レンズ枠ユニット７０は、第１基準面７３ｂを有する第３前側レンズ枠７３と、第１基準面７３ｂと当接する第２基準面７４ｄ、１７４ｄを有する第３後側レンズ枠７４と、第３前側レンズ枠７３に装着された第３前側レンズ群Ｇ３Ａと、第３後側レンズ枠７４に装着された第３後側レンズ群Ｇ３Ｂと、第３前側レンズ枠７３に装着され第２基準面７４ｄおよび１７４ｄが第１基準面７３ｂに押し付けられるように第３後側レンズ枠７４を押圧する板バネ７２と、を備えている。【選択図】図１７
2013213848.tif 000002
【特許請求の範囲】
【請求項１】
第１当接面を有する第１部材と、
前記第１当接面と当接する第２当接面を有する第２部材と、
前記第１および第２部材のうち少なくとも一方に装着された少なくとも１つの光学素子と、
前記第１部材に装着され、前記第２当接面が前記第１当接面に押し付けられるように前記第２部材を押圧する押圧部材と、
を備えた光学ユニット。
【請求項２】
前記第１部材は、第１規制部を有しており、
前記第２部材は、第２規制部を有しており、
前記第１規制部は、前記第１および第２当接面が離れるように前記第１および第２部材が相対移動すると前記第２規制部と当接する、
請求項１に記載の光学ユニット。
【請求項３】
前記押圧部材は、前記第２当接面が前記第１当接面に押し付けられるように前記第２部材を押圧する少なくとも１つの弾性押圧部を有している、
請求項１または２に記載の光学ユニット。
【請求項４】
前記第１および第２部材のうち少なくとも一方に装着されたストッパー部材をさらに備え、
前記第１当接面と前記第２当接面とが当接しない前記第１および第２部材の状態を第１状態とし、前記第１当接面と前記第２当接面とが当接する前記第１および第２部材の状態を第２状態とした場合、前記ストッパー部材は、前記第１および第２部材が相対回転して前記第２状態から前記第１状態になるのを抑止する、
請求項１から３のいずれかに記載の光学ユニット。
【請求項５】
前記第１および第２部材のうち少なくとも一方に装着されたストッパー部材をさらに備え、
前記第１当接面と前記第２当接面とが当接しない前記第１および第２部材の状態を第１状態とし、前記第１当接面と前記第２当接面とが当接する前記第１および第２部材の状態を第２状態とした場合、前記ストッパー部材は、前記第１および第２部材が前記第１当接面に平行な方向に相対移動して前記第２状態から前記第１状態になるのを抑止する、
請求項１から３のいずれかに記載の光学ユニット。
【発明の詳細な説明】
【技術分野】
【０００１】
ここに開示されている技術は、光学ユニットに関する。
【背景技術】
【０００２】
撮像装置として例えばデジタルカメラが知られている。デジタルカメラはレンズ鏡筒および撮像素子を有している。撮像素子は、例えばＣＣＤ（Charge Coupled Device）イメージセンサーやＣＭＯＳ（Complementary Metal Oxide Semiconductor）イメージセンサーである。撮像素子はレンズ鏡筒で形成された光学像を画像信号に変換する。こうして、被写体の画像データを取得することができる。
【先行技術文献】
【特許文献】
【０００３】
【特許文献１】特開２００５−６２４３２号公報
【発明の概要】
【発明が解決しようとする課題】
【０００４】
レンズ鏡筒は光学系を支持する複数の枠体を有している。各枠体は通常、樹脂などにより一体成形されている。枠体同士を固定する場合、通常はビスや接着材による固定を行っている。
【０００５】
しかし、ビスを用いると枠体がひずんでしまい、レンズ鏡筒の光学性能が低下するおそれがある。
【０００６】
また、接着固定の場合は、メンテナンス時に分解が困難となり、場合によっては部品を廃棄する必要が出てくる。
【０００７】
そこで、構成部材同士をバヨネット結合する構成が提案されている（例えば、特許文献１を参照）。これにより、複数の構成部材同士を簡単に組み付けることができる。
【０００８】
しかし、バヨネット結合している部分が温度変化により膨張すると、構成部材同士の間にがたつきが生じ、好ましくない。
【０００９】
ここに開示される技術の課題は、組み付け性を高めつつ組み付け状態の安定性を実現できる光学ユニットを提供することにある。
【課題を解決するための手段】
【００１０】
ここに開示される光学ユニットは、第１当接面を有する第１部材と、第１当接面と当接する第２当接面を有する第２部材と、第１または第２部材のうち少なくとも一方に装着された少なくとも１つの光学素子と、第１部材に装着され第２当接面が第１当接面に押し付けられるように第２部材を押圧する押圧部材と、を備えている。
【００１１】
ここで、例えば、「光学素子が第１部材に装着されている」には、光学素子が第１部材と別部材の場合も含まれ、さらには、光学素子が第１部材と一体成形されている場合も含まれる。また、「光学素子が第２部材に装着されている」には、光学素子が第２部材と別部材の場合も含まれ、さらには、光学素子が第２部材と一体成形されている場合も含まれる。
【００１２】
この光学ユニットでは、押圧部材により第１当接面に第２当接面が押し付けられているので、第１部材に対して第２部材の位置決めを行うことができる。さらに、押圧部材が第１および第２部材と別部材となっているので、押圧部材を第１または第２部材と一体成形する場合に比べて、温度変化に伴う押圧力の変動を抑制でき、第１および第２部材の装着状態がより安定する。
【発明の効果】
【００１３】
以上より、この光学ユニットであれば、組み付け性を高めつつ組み付け状態の安定性を実現できる。
【図面の簡単な説明】
【００１４】
【図１】デジタルカメラの斜視図
【図２】レンズ鏡筒の斜視図
【図３】レンズ鏡筒の断面図（収納状態）
【図４】レンズ鏡筒の断面図（中間ポジション）
【図５】レンズ鏡筒の断面図（広角端）
【図６】レンズ鏡筒の断面図（望遠端）
【図７】レンズ鏡筒の分解斜視図
【図８】第３レンズ枠ユニットの分解斜視図
【図９】（Ａ）第３レンズ枠ユニットの分解斜視図、（Ｂ）第３レンズ枠ユニットの斜視図
【図１０】（Ａ）第３レンズ枠ユニットの分解斜視図、（Ｂ）第３レンズ枠ユニットの斜視図
【図１１】（Ａ）キャップの斜視図、（Ｂ）キャップの斜視図
【図１２】第３レンズ枠ユニットの分解斜視図
【図１３】第３レンズ枠ユニットの斜視図
【図１４】第３前側レンズ枠および板バネの分解斜視図
【図１５】第３前側レンズ枠および板バネの斜視図（装着状態）
【図１６】（Ａ）第３前側レンズ枠および板バネの平面図（装着途中）、（Ｂ）第３前側レンズ枠および板バネの平面図（装着完了時）
【図１７】第１および第２位置決め部周辺の拡大図（組み付け完了時）
【図１８】第１および第２位置決め部周辺の拡大図（組み付け完了時）
【図１９】第１および第２位置決め部周辺の拡大図（組み付け途中）
【図２０】第１および第２位置決め部周辺の拡大図（組み付け途中）
【図２１】光学ユニットの斜視図（第２実施形態）
【図２２】光学ユニットの斜視図（第２実施形態）
【図２３】（Ａ）光学ユニットの平面図、（Ｂ）図２３（Ａ）のXXIIIB−XXIIIB断面図
【図２４】（Ａ）図２３（Ａ）のXXIVA−XXIVA断面図、図２３（Ａ）のXXIVB−XXIVB断面図、（Ｃ）図２３（Ａ）のXXIVC−XXIVC断面図
【図２５】第１および第２位置決め部周辺の拡大図（他の実施形態）
【発明を実施するための形態】
【００１５】
＜第１実施形態＞
〔デジタルカメラの全体構成〕
図１に示すように、デジタルカメラ１は外装部２およびレンズ鏡筒３を備えている。レンズ鏡筒３は外装部２に固定されている。
【００１６】
図２〜図７に示すように、レンズ鏡筒３は、光学系Ｖ、マスターフランジ９０、固定枠１０、ズームモータ４、直進枠２０、駆動枠３０、中間枠４０、第１レンズ枠５０、第２レンズ枠６０、第３レンズ枠ユニット７０および第４レンズ枠８０を備えている。
【００１７】
光学系Ｖは、第１レンズ群Ｇ１、第２レンズ群Ｇ２、第３レンズ群Ｇ３、第４レンズ群Ｇ４、絞りユニットＧＡおよびシャッターユニットＧＳを有している。第１レンズ群Ｇ１、第２レンズ群Ｇ２、第３レンズ群Ｇ３および第４レンズ群Ｇ４により光軸Ａが定義される。
【００１８】
なお、図１に示すように、デジタルカメラ１に対して３次元直交座標系を設定する。光学系Ｖの光軸Ａに平行にＹ軸が設定されている。Ｙ軸は第１方向の一例である。
【００１９】
第１レンズ群Ｇ１は第１レンズ枠５０に固定されている。第２レンズ群Ｇ２は第２レンズ枠６０に固定されている。第３レンズ群Ｇ３は第３レンズ枠ユニット７０に支持されている。第３レンズ群Ｇ３は、第３前側レンズ群Ｇ３Ａと、第３後側レンズ群Ｇ３Ｂと、を有している。後述するように、第３前側レンズ群Ｇ３Ａは第３前側レンズ枠７３に固定されており、第３後側レンズ群Ｇ３Ｂは、振れ補正レンズ群であり、補正レンズ枠７７に固定されている。第４レンズ群Ｇ４は、フォーカス調整用のレンズ群であり、第４レンズ枠８０に固定されている。絞りユニットＧＡおよびシャッターユニットＧＳは第３後側レンズ枠７４に内蔵されている。絞りユニットＧＡおよびシャッターユニットＧＳは第３前側レンズ群Ｇ３Ａと第３後側レンズ群Ｇ３Ｂとの間に配置されている。第３前側レンズ群Ｇ３Ａ、第３後側レンズ群Ｇ３Ｂ、絞りユニットＧＡおよびシャッターユニットＧＳは、第３レンズ枠ユニット７０により支持されており、外装部２および固定枠１０に対してＹ軸方向に一体で移動する。
【００２０】
マスターフランジ９０は固定枠１０に固定されている。マスターフランジ９０にはイメージセンサーユニット１１０が固定されている。
【００２１】
固定枠１０は外装部２に固定されている。固定枠１０およびマスターフランジ９０はレンズ鏡筒３の静止側の部材を構成している。固定枠１０にはズームモータ４が固定されている。
【００２２】
駆動枠３０は固定枠１０に対して回転可能かつＹ軸方向に移動可能に固定枠１０により支持されている。駆動枠３０はズームモータ４により回転駆動される。固定枠１０に対して駆動枠３０が回転すると、駆動枠３０は固定枠１０に対してＹ軸方向に移動する。駆動枠３０は第１レンズ枠５０、第２レンズ枠６０および第３レンズ枠ユニット７０をＹ軸方向に駆動する。
【００２３】
第１レンズ枠５０は、第１レンズ群Ｇ１を支持しており、駆動枠３０のカム溝によりＹ軸方向に案内される。固定枠１０に対する第１レンズ枠５０の回転は中間枠４０により規制されている。固定枠１０に対して駆動枠３０が回転すると、第１レンズ枠５０は固定枠１０に対して回転することなくＹ軸方向に移動する。
【００２４】
中間枠４０は、固定枠１０によりＹ軸方向に移動可能に支持されており、固定枠１０に対する第１レンズ枠５０の回転を規制している。
【００２５】
直進枠２０は固定枠１０に対してＹ軸方向に移動可能に固定枠１０により支持されている。固定枠１０に対する直進枠２０の回転は固定枠１０により規制されている。また、直進枠２０は駆動枠３０に対して回転可能かつＹ軸方向に一体で移動可能に駆動枠３０により支持されている。直進枠２０は固定枠１０に対する第３レンズ枠ユニット７０の回転を規制している。
【００２６】
第２レンズ枠６０は、第２レンズ群Ｇ２を支持しており、駆動枠３０のカム溝によりＹ軸方向に案内される。固定枠１０に対する第２レンズ枠６０の回転は直進枠２０により規制されている。固定枠１０に対して駆動枠３０が回転すると、第２レンズ枠６０は固定枠１０に対して回転することなくＹ軸方向に移動する。
【００２７】
第３レンズ枠ユニット７０は、第３レンズ群Ｇ３を支持しており、駆動枠３０のカム溝によりＹ軸方向に案内される。固定枠１０に対する第３レンズ枠ユニット７０の回転は直進枠２０により規制されている。固定枠１０に対して駆動枠３０が回転すると、第３レンズ枠ユニット７０は固定枠１０に対して回転することなくＹ軸方向に移動する。
【００２８】
第４レンズ枠８０は、第４レンズ群Ｇ４を支持しており、マスターフランジ９０に対してＹ軸方向に移動可能にマスターフランジ９０により支持されている。第４レンズ枠８０はマスターフランジ９０に固定されたフォーカスモータＭ３によりＹ軸方向に駆動される。
【００２９】
〔第３レンズ枠ユニットの構成〕
ここで、第３レンズ枠ユニット７０の構成について詳細に説明する。
【００３０】
図８〜図１８に示すように、第３レンズ枠ユニット７０（光学調整ユニットの一例）は、第３前側レンズ枠７３、板バネ７２（図１２〜図１７参照）、第３後側レンズ枠７４、補正レンズ枠７７およびキャップ７１を有している。
【００３１】
（１）第３前側レンズ枠
図１２〜図１６（Ｂ）に示すように、第３前側レンズ枠７３（第１または第２部材の一例、第１または第２枠ユニットの一例）は、例えば樹脂製であり、一体成形された単一の部材である。第３前側レンズ枠７３は第１中心線を有する環状の部材である。この第１中心線は光軸Ａと概ね一致している。第３前側レンズ枠７３には第３前側レンズ群Ｇ３Ａが装着されている。第３前側レンズ枠７３には、板バネ７２およびキャップ７１が装着されている。
【００３２】
第３前側レンズ枠７３は、前側枠本体７３ｋ（第１または第２枠本体の一例）、３つの第１位置決め部７３ａ（第１または第２当接部の一例）、３つの規制部７３ｃ、２つの第１開口７３ｍ（開口の一例）および第２開口７３ｎ（開口の一例）を有している。前側枠本体７３ｋは第１円筒部７３ｐおよび第１円板部７３ｓを有している。
【００３３】
第１円筒部７３ｐは円筒状の部分である。第１円板部７３ｓは第１円筒部７３ｐの内周側に配置されている。第１円板部７３ｓには第３前側レンズ群Ｇ３Ａが固定されている。
【００３４】
第１位置決め部７３ａは、第１円筒部７３ｐの内周側に配置されており、第１円筒部７３ｐから半径方向内側に突出している。本実施形態では、３つの第１位置決め部７３ａは円周方向に等間隔で配置されている。第１位置決め部７３ａは、Ｙ軸方向に第３後側レンズ枠７４の第２位置決め部７４ｂ（後述）と当接しており、第１基準面７３ｂを有している。第１基準面７３ｂはＹ軸方向に垂直な平面である。第１基準面７３ｂは第３後側レンズ枠７４の第２基準面７４ｄ（後述）とＹ軸方向に当接している。
【００３５】
規制部７３ｃは第２位置決め部７４ｂと接触可能に配置されている。規制部７３ｃは第２位置決め部７４ｂの先端とＹ軸方向に向かい合って配置されている。規制部７３ｃは第２位置決め部７４ｂのＹ軸方向負側に配置されている。規制部７３ｃと第２位置決め部７４ｂとの間には隙間Ｃが形成されている。より詳細には、規制部７３ｃはＹ軸方向に対して傾斜する規制面７３ｄを有している。規制面７３ｄは第２位置決め部７４ｂの傾斜案内面７４ｃ（後述）と向かい合って配置されている。規制面７３ｄおよび傾斜案内面７４ｃの間に隙間Ｃが確保されている。
【００３６】
第３前側レンズ枠７３に第３後側レンズ枠７４が装着されている状態で第３前側レンズ枠７３および第３後側レンズ枠７４がＹ軸方向に離れると、規制部７３ｃに第２位置決め部７４ｂが接触し、規制部７３ｃにより第３前側レンズ枠７３に対する第３後側レンズ枠７４のＹ軸方向の移動が規制される。したがって、板バネ７２の押圧部７２ｂが塑性変形してしまうのを防止できる。
【００３７】
第１開口７３ｍは第１円板部７３ｓと第１円筒部７３ｐとにより形成されている。第１開口７３ｍには、板バネ７２の押圧部７２ｂ（後述）、第３後側レンズ枠７４の第２位置決め部７４ｂ（後述）およびキャップ７１のストッパー突起７１ｂ（後述）が挿入されている。
【００３８】
第２開口７３ｎは第１円板部７３ｓおよび第１円筒部７３ｐにより形成されている。第２開口７３ｎの円周方向の寸法は、第１開口７３ｍの円周方向の寸法よりも大きい。第２開口７３ｎには、板バネ７２の押圧部７２ｂ（後述）、第３後側レンズ枠７４の第２位置決め部１７４ｂ（後述）およびシャッターモーターＭ１（後述）が挿入されている。
【００３９】
（２）第３後側レンズ枠
図８に示すように、第３後側レンズ枠７４（第１または第２部材の一例、第１または第２枠ユニットの一例）は、第３前側レンズ枠７３とＹ軸方向に並んで配置されており、第３前側レンズ枠７３のＹ軸方向負側に配置されている。第３後側レンズ枠７４は第２中心線を有する環状の部材である。この第２中心線は光軸Ａと概ね一致している。
【００４０】
第３後側レンズ枠７４には絞りユニットＧＡおよびシャッターユニットＧＳが内蔵されている。図１０（Ａ）および（Ｂ）に示すように、絞りユニットＧＡは絞り駆動モータＭ２を有している。絞り駆動モータＭ２は第３後側レンズ枠７４から後方（Ｙ軸方向負側）に突出している。図８に示すように、シャッターユニットＧＳはシャッターモーターＭ１を有している。シャッターモーターＭ１は第３後側レンズ枠７４から前方（Ｙ軸方向正側、第３前側レンズ枠７３側）に突出している。シャッターモーターＭ１は、第３前側レンズ枠７３の第２開口７３ｎに挿入されている。第３後側レンズ枠７４は、後側枠本体７４ａ（第１または第２枠本体の一例）、２つの第２位置決め部７４ｂおよび第２位置決め部１７４ｂを有している。
【００４１】
第２位置決め部７４ｂは、第２枠本体からＹ軸方向に突出しており、第１開口７３ｍ内に挿入されている。第２位置決め部１７４ｂは、第２枠本体からＹ軸方向に突出しており、第２開口７３ｎ内に挿入されている。
【００４２】
図１７および図１８に示すように、第２位置決め部７４ｂおよび１４７ｂ（第１または第２当接部の一例）は、Ｙ軸方向に第１位置決め部７３ａと当接しており、板バネ７２により第１位置決め部７３ａに押圧されている。第２位置決め部７４ｂおよび１７４ｂは板バネ７２の押圧部７２ｂと第１位置決め部７３ａとの間に挟み込まれている。第１位置決め部７３ａ、第２位置決め部７４ｂおよび１７４ｂにより第３前側レンズ枠７３および第３後側レンズ枠７４のＹ軸方向の位置決めが行われている。第２位置決め部７４ｂは第２基準面７４ｄ、第３基準面７４ｅおよび傾斜案内面７４ｃを有している。第２位置決め部１７４ｂは第２基準面１７４ｄ、第３基準面１７４ｅおよび傾斜案内面１７４ｃを有している。
【００４３】
第２基準面７４ｄおよび１７４ｄは、Ｙ軸方向に垂直な平面であり、第１基準面７３ｂと当接している。第３基準面７４ｅは、Ｙ軸方向において第２基準面７４ｄと反対側に配置されており、第２基準面７４ｄと概ね平行である。第３基準面１７４ｅは、Ｙ軸方向において第２基準面１７４ｄと反対側に配置されており、第２基準面１７４ｄと概ね平行である。板バネ７２は第３基準面７４ｅおよび１７４ｅを押圧している。傾斜案内面７４ｃおよび１７４ｃは、Ｙ軸方向に対して傾斜しており、規制部７３ｃの規制面７３ｄと向かい合って配置されている。第３後側レンズ枠７４を第３前側レンズ枠７３に組み付ける際、傾斜案内面７４ｃおよび１７４ｃにより押圧部７２ｂは第３基準面７４ｅおよび１７４ｅまで案内される。
【００４４】
さらに、第２位置決め部１７４ｂは、第３前側レンズ枠７３に対する第３後側レンズ枠７４の回転を規制している。具体的には、第２位置決め部１７４ｂは円周方向を向く回転規制面１７４ｆを有している。回転規制面１７４ｆは回転規制部７３ｒと円周方向に当接可能に配置されている。第３前側レンズ枠７３に対して第３後側レンズ枠７４が回転すると、回転規制面１７４ｆが回転規制部７３ｒと当接する。
【００４５】
また、図１８に示すように、第２位置決め部１７４ｂは突起１７４ｇを有している。突起１７４ｇは第３基準面１７４ｅからＹ軸方向負側に突出しており、傾斜案内面１７４ｃの一部を形成している。突起１７４ｇにより押圧部７２ｂが第２位置決め部１７４ｂから脱落するのを防止できる。
【００４６】
（３）板バネ
板バネ７２（第１押圧部の一例）は、第３後側レンズ枠７４を第３前側レンズ枠７３に装着するための部材であって、第２位置決め部７４ｂおよび１７４ｂを第１位置決め部７３ａに押圧する。板バネ７２は前側枠本体７３ｋと第２位置決め部７４ｂとをＹ軸方向に挟み込んでいる。
【００４７】
板バネ７２は、金属製のプレートから構成されており、第３前側レンズ枠７３に装着されている。板バネ７２は弾性部材であり、板バネ７２の剛性は第３前側レンズ枠７３および第３後側レンズ枠７４の剛性よりも低い。板バネ７２の材質としては、例えばリン青銅が考えられる。リン青銅は非磁性体であるので、振れ補正装置のマグネットに影響を及ぼさない。なお、板バネ７２の材質は、弾性力を発生可能な材質であれば、他の材質であってもよい。
【００４８】
板バネ７２は本体部７２ａ、回転止めフック７２ｇおよび３つの押圧部７２ｂを有している。本体部７２ａは、概ね環状の部分であり、第３前側レンズ枠７３に装着されている。本体部７２ａは前側枠本体７３ｋのＹ軸方向正側（第１円板部７３ｓのＹ軸方向正側）に配置されている。本体部７２ａは回転止めフック７２ｇにより第１円板部７３ｓに押し付けられている。
【００４９】
回転止めフック７２ｇは、本体部７２ａの外周部に配置されており、本体部７２ａからＹ軸方向正側に突出している。第３前側レンズ枠７３は回転止め突起７３ｇを有している。回転止め突起７３ｇと第１円板部７３ｓとの間に回転止めフック７２ｇは弾性変形した状態で配置される。
【００５０】
押圧部７２ｂは、本体部７２ａからＹ軸方向負側に突出した部分であり、第２位置決め部７４ｂを第１位置決め部７３ａに押圧している。押圧部７２ｂは、弾性支持部７２ｃ、傾斜部７２ｄおよび湾曲部７２ｅを有している。弾性支持部７２ｃは本体部７２ａの外周部からＹ軸方向負側（第３後側レンズ枠７４側）に延びている。傾斜部７２ｄは、弾性支持部７２ｃの端部から円周方向に延びており、Ｙ軸方向に対して傾斜している。より詳細には、傾斜部７２ｄは弾性支持部７２ｃの端部から徐々に第３基準面７４ｅおよび１４７ｅに近づくように配置されている。湾曲部７２ｅは、傾斜部７２ｄの端部に配置されており、第３基準面７４ｅおよび１７４ｅと接触している。湾曲部７２ｅは半円状に湾曲している。押圧部７２ｂは第３基準面７４ｅおよび１７４ｅと当接している状態でたわんでいる。
【００５１】
（４）補正レンズ枠
補正レンズ枠７７には第３後側レンズ群Ｇ３Ｂが装着されている。補正レンズ枠７７は第３後側レンズ枠７４によりＸ軸方向およびＺ軸方向に移動可能に支持されている。補正レンズ枠７７には第１マグネット７７ａおよび第２マグネット７７ｂが固定されている。第３後側レンズ枠７４には第１コイル７９ａおよび第２コイル７９ｂが装着されている。第１マグネット７７ａは第１コイル７９ａと近接して配置されている。第２マグネット７７ｂは第２コイル７９ｂと近接して配置されている。第１マグネット７７ａおよび第１コイル７９ａにより補正レンズ枠７７をＸ軸方向に駆動する第１駆動アクチュエータが構成されている。第２マグネット７７ｂおよび第２コイル７９ｂにより補正レンズ枠７７をＺ軸方向に駆動する第２駆動アクチュエータが構成されている。
【００５２】
（５）キャップ
キャップ７１は、第３後側レンズ枠７４が第３前側レンズ枠７３から脱落するために設けられており、第３前側レンズ枠７３に装着されている。キャップ７１は、キャップ本体７１ａ、２つのストッパー突起７１ｂ、２つの固定突起７１ｃおよび２つのポール部７１ｄを有している。本実施形態では、キャップ７１は、例えば樹脂製であり、一体成形された単一の部材から構成されている。
【００５３】
キャップ本体７１ａは円板状の部分である。キャップ７１が第３前側レンズ枠７３に装着されている状態でキャップ本体７１ａは板バネ７２を覆っている。ストッパー突起７１ｂは、キャップ本体７１ａからＹ軸方向に突出しており、キャップ７１が第３前側レンズ枠７３に装着されている状態で第１開口７３ｍに挿入されている。ストッパー突起７１ｂが第１開口７３ｍに挿入されているので、第３前側レンズ枠７３および第３後側レンズ枠７４の相対回転が規制されている。
【００５４】
具体的には、第１基準面７３ｂと第２基準面７４ｄとが当接しない第３前側レンズ枠７３および第３後側レンズ枠７４の状態を第１状態（例えば、図１９に示す状態）とし、第１基準面７３ｂと第２基準面７４ｄとが当接する第３前側レンズ枠７３および第３後側レンズ枠７４の状態を第２状態（例えば、図１７に示す状態）とした場合、ストッパー突起７１ｂは、第３前側レンズ枠７３および第３後側レンズ枠７４が相対回転して第２状態から第１状態になるのを抑止する。したがって、第３後側レンズ枠７４が第３前側レンズ枠７３から脱落するのを防止できる。
【００５５】
固定突起７１ｃは、キャップ本体７１ａからＹ軸方向負側に突出しており、第３前側レンズ枠７３の固定孔７３ｅに挿入されている。固定突起７１ｃによりキャップ７１は第３前側レンズ枠７３に固定されている。ポール部７１ｄは補助孔７３ｈに挿入されている。
【００５６】
〔第３レンズ枠ユニットの組み付け方法〕
ここで、第３レンズ枠ユニット７０の組み付け方法について説明する。第３前側レンズ枠７３に板バネ７２を装着する。具体的には、図１４および図１６（Ａ）に示すように、板バネ７２の押圧部７２ｂを第１開口７３ｍおよび第２開口７３ｎに挿入する。このとき、回転止めフック７２ｇが回転止め突起７３ｇ付近にくるように、第３前側レンズ枠７３に対する板バネ７２の位置を決める。
【００５７】
本体部７２ａが第１円板部７３ｓに当接している状態で第３前側レンズ枠７３に対して板バネ７２をＲ１方向に回転させると、回転止めフック７２ｇが回転止め突起７３ｇと第１円板部７３ｓと間に入り込み、回転止め突起７３ｇの返し部分を乗り越える。この状態では、回転止めフック７２ｇが回転止め突起７３ｇと第１円板部７３ｓと間でＹ軸方向に圧縮されている。板バネ７２が第３前側レンズ枠７３に対してＲ２方向に回転すると、回転止めフック７２ｇが回転止め突起７３ｇに引っかかるので、板バネ７２が第３前側レンズ枠７３から脱落しにくくなる。
【００５８】
板バネ７２の装着後、第３後側レンズ枠７４を第３前側レンズ枠７３に装着する。具体的には図１９および図２０に示すように、第２位置決め部７４ｂを第１開口７３ｍに挿入し、第２位置決め部１７４ｂを第２開口７３ｎに挿入する。このとき、第３前側レンズ枠７３および第３後側レンズ枠７４は、第１基準面７３ｂが第２基準面７４ｄおよび１７４ｄと当接していない第１状態にある。
【００５９】
その後、第３前側レンズ枠７３に対して第３後側レンズ枠７４をＲ１方向に回転させると、第２位置決め部７４ｂの傾斜案内面７４ｃにより押圧部７２ｂの湾曲部７２ｅが第３基準面７４ｅまで案内され、第２位置決め部１７４ｂの傾斜案内面１７４ｃにより押圧部７２ｂの湾曲部７２ｅが第３基準面１７４ｅまで案内される。第２位置決め部１７４ｂが突起１７４ｇを有しているので、第２位置決め部１７４ｂに対応する湾曲部７２ｅは突起１７４ｇを乗り越えて第３基準面１７４ｅに到達する。こうして、第３前側レンズ枠７３および第３後側レンズ枠７４は、第１基準面７３ｂが第２基準面７４ｄおよび１７４ｄと当接していない第１状態から、第１基準面７３ｂが第２基準面７４ｄおよび１７４ｄと当接している第２状態となる。
【００６０】
図１７に示すように、押圧部７２ｂが第３基準面７４ｅと当接している状態では、第２位置決め部７４ｂが第１位置決め部７３ａに押し付けられている。また、図１８に示すように、押圧部７２ｂが第３基準面１７４ｅと当接している状態では、第２位置決め部１７４ｂが第１位置決め部７３ａに押し付けられている。したがって、第３前側レンズ枠７３に対する第３後側レンズ枠７４のＹ軸方向の位置決めが行われる。また、第２位置決め部７４ｂおよび１７４ｂが第１円筒部７３ｐの内周面と接触するので、第３前側レンズ枠７３に対する第３後側レンズ枠７４の半径方向の位置決めが行われる。
【００６１】
やがて、第２位置決め部１７４ｂの回転規制面１７４ｆが第３後側レンズ枠７４の回転規制部７３ｒに当接し、第３前側レンズ枠７３および第３後側レンズ枠７４の回転方向の位置決めが行われる。
【００６２】
続いて、キャップ７１を第３前側レンズ枠７３に組み付ける。このとき、２つのポール部７１ｄを補助孔７３ｈに挿入し、２つの固定突起７１ｃを固定孔７３ｅに挿入すると、２つのストッパー突起７１ｂが第１開口７３ｍに挿入される。固定孔７３ｅに固定突起７１ｃを完全に差し込むと、固定突起７１ｃのかえしが固定孔７３ｅの周辺部に引っ掛かり、キャップ７１の組み付けが完了する（図１７および図１８）。この状態では、第２位置決め部７４ｂおよび１７４ｂがストッパー突起７１ｂと干渉するので、落下時の衝撃などにより第３前側レンズ枠７３および第３後側レンズ枠７４に回転力が作用しても、第３後側レンズ枠７４が第３前側レンズ枠７３から脱落するのを防止できる。
【００６３】
なお、第３後側レンズ枠７４を第３前側レンズ枠７３に組み付けた後、補正レンズ枠７７が第３後側レンズ枠７４に組み付けられる。
【００６４】
＜第２実施形態＞
前述の第１実施形態では、第３前側レンズ枠７３および第３後側レンズ枠７４が円形の部材であるが、第１および第２部材が板状の部材であってもよい。なお、前述の実施形態の構成と実質的に同じ機能を有する構成については、同じ符号を付し、その詳細な説明は省略する。
【００６５】
図２１〜図２４（Ｃ）に示すように、光学ユニット３００は、ベースプレート３０２、プラスチックレンズ３０１および板バネ３０３を備えている。
【００６６】
（１）ベースプレート
ベースプレート３０２（第１または第２部材の一例、第１または第２枠ユニットの一例）は、プレート本体３０２ａ（第１または第２当接部の一例）、１対の規制部３０２ｂ、１対の固定部３０２ｃ、１対のストッパー部３０２ｄ、中央孔３０２ｅおよび１対の開口３０２ｓを有している。
【００６７】
プレート本体３０２ａは、プラスチックレンズ３０１よりも大きく、プラスチックレンズ３０１の位置決めプレート３０１ａとＹ軸方向に当接している。プレート本体３０２ａの第１基準面３０２ｍ（第１または第２当接面の一例）はプラスチックレンズ３０１の第２基準面３０１ｍ（第１または第２当接部の一例）と当接している。つまり、プレート本体３０２ａはプラスチックレンズ３０１をＹ軸方向に位置決めしている。
【００６８】
また、プレート本体３０２ａには溝３０２ｈが形成されている。溝３０２ｈはプレート本体３０２ａのＸ軸方向の概ね中央に配置されている。溝３０２ｈにはレンズ部３０１ｂが配置されている。ベースプレート３０２に対するプラスチックレンズ３０１のＸ軸方向の位置決めが溝３０２ｈにより行われている。
【００６９】
さらに、プレート本体３０２ａには位置決め部３０２ｋが形成されている。位置決め部３０２ｋによりプラスチックレンズ３０１のＺ軸方向の位置決めが行われている。
【００７０】
規制部３０２ｂは、ベースプレート３０２に対するプラスチックレンズ３０１のＹ軸方向への移動を所定の範囲に規制している。具体的には、規制部３０２ｂは、プレート本体３０２ａからＹ軸方向に突出するＬ字状の部分である。規制部３０２ｂは、根元部３０２ｆおよび突出部３０２ｇを有している。根元部３０２ｆはプレート本体３０２ａからＹ軸方向に突出している。突出部３０２ｇは根元部３０２ｆの端部からＺ軸方向に突出している。突出部３０２ｇとプラスチックレンズ３０１の位置決めプレート３０１ａとの間には隙間Ｃ１が確保されている。
【００７１】
固定部３０２ｃは板バネ３０３の連結部３０３ｇ（後述）を支持している。固定部３０２ｃはプレート本体３０２ａからＹ軸方向負側に突出している。固定部３０２ｃおよびプレート本体３０２ａとの間に連結部３０３ｇが挟み込まれている。
【００７２】
ストッパー部３０２ｄ（ストッパー部材の一例）はプラスチックレンズ３０１が脱落するのを防止している。ストッパー部３０２ｄはＸ軸方向において板バネ３０３の押圧部３０３ｂ（後述）に対応する位置に配置されている。ストッパー部３０２ｄは位置決めプレート３０１ａとＺ軸方向に接触する位置に配置されている。
【００７３】
第１基準面３０２ｍと第２基準面３０１ｍとが当接しないベースプレート３０２およびプラスチックレンズ３０１の状態を第１状態とし、第１基準面３０２ｍと第２基準面３０１ｍとが当接するベースプレート３０２およびプラスチックレンズ３０１の状態を第２状態とした場合、ストッパー部３０２ｄは、ベースプレート３０２およびプラスチックレンズ３０１がＺ軸方向に相対移動して第２状態から第１状態になるのを抑止する。
【００７４】
中央孔３０２ｅの中心はプラスチックレンズ３０１の光軸Ａと概ね一致している。プラスチックレンズ３０１の透過光は中央孔３０２ｅを通過する。開口３０２ｓには板バネ３０３の押圧部３０３ｂが挿入されている。
【００７５】
（２）プラスチックレンズ
プラスチックレンズ３０１（第１または第２部材の一例、第１または第２枠ユニットの一例）は、レンズ部３０１ｂ（光学素子の一例）と、１対の位置決めプレート３０１ａ（第１または第２部材の一例）と、を有している。位置決めプレート３０１ａは、レンズ部３０１ｂからＸ軸方向に延びており、板バネ３０３によりベースプレート３０２に押圧されている。位置決めプレート３０１ａは、第２基準面３０１ｍおよび第３基準面３０１ｎを有している。第２基準面３０１ｍはベースプレート３０２の第１基準面３０２ｍと当接している。第３基準面３０１ｎは押圧部３０３ｂの湾曲部３０３ｅ（後述）と当接している。
【００７６】
また、位置決めプレート３０１ａは突出部３０２ｇに挿入されており、プラスチックレンズ３０１がベースプレート３０２に対してＹ軸方向に移動しても位置決めプレート３０１ａが規制部３０２ｂと接触するようになっている。したがって、規制部３０２ｂによりプラスチックレンズ３０１のＹ軸方向の移動範囲が所定の範囲に規制されており、過度の変形により押圧部３０３ｂが破損するのを防止できる。
【００７７】
なお、レンズ部３０１ｂおよび位置決めプレート３０１ａが一体成形されているが、これらの部分が別部材であってもよい。例えば、レンズ枠にレンズが固定されている構成であっても同様の効果が得られる。
【００７８】
（３）板バネ
板バネ３０３（押圧部材の一例）は、プラスチックレンズ３０１をベースプレート３０２に押圧しており、ベースプレート３０２に装着されている。板バネ３０３は、弾性部材であり、板バネ７２と同様に金属のプレートにより構成されている。板バネ３０３の剛性は、ベースプレート３０２の剛性よりも低い。板バネ３０３は、連結部３０３ｇ（本体部の一例）と、１対の押圧部３０３ｂ（押圧部の一例）と、を有している。
【００７９】
連結部３０３ｇは、ベースプレート３０２の後方（Ｙ軸方向負側）に配置されており、固定部３０２ｃとプレート本体３０２ａとの間に挿入されている。連結部３０３ｇはＸ軸方向に細長く延びた板状の部分である。
【００８０】
押圧部３０３ｂは、連結部３０３ｇからＹ軸方向に突出した部分であり、プラスチックレンズ３０１をベースプレート３０２に押圧している。具体的には、押圧部３０３ｂは、弾性支持部３０３ｃ、傾斜部３０３ｄおよび湾曲部３０３ｅを有している。弾性支持部３０３ｃ、傾斜部３０３ｄおよび湾曲部３０３ｅは、第１実施形態の弾性支持部７２ｃ、傾斜部７２ｄおよび湾曲部７２ｅに対応している。
【００８１】
弾性支持部３０３ｃは、連結部３０３ｇからＹ軸方向正側に延びており、開口３０２ｓに挿入されている。傾斜部３０３ｄは、弾性支持部３０３ｃの端部からＺ軸方向正側に延びており、Ｙ軸方向に対して傾斜している。より詳細には、傾斜部３０３ｄは弾性支持部３０３ｃの端部から徐々に第３基準面３０１ｎに近づくように配置されている。湾曲部３０３ｅは、傾斜部３０３ｄの端部に配置されており、第３基準面３０１ｎと接触している。湾曲部３０３ｅは半円状に湾曲している。押圧部３０３ｂは第３基準面３０１ｎと当接している状態でたわんでいる。
【００８２】
この光学ユニット３００では、板バネ３０３によりプレート本体３０２ａに位置決めプレート３０１ａが押し付けられているので、ベースプレート３０２に対してプラスチックレンズ３０１の位置決めを行うことができる。さらに、板バネ３０３がベースプレート３０２およびプラスチックレンズ３０１と別部材となっているので、板バネ３０３をベースプレート３０２あるいはプラスチックレンズ３０１と一体成形する場合に比べて、温度変化や寸法誤差に伴う押圧力の変動を抑制でき、ベースプレート３０２およびプラスチックレンズ３０１の装着状態がより安定する。
【００８３】
以上より、この光学ユニット３００であれば、ベースプレート３０２およびプラスチックレンズ３０１の位置決めおよび装着状態をより安定させることが可能となる。
【００８４】
＜他の実施形態＞
本発明は、前述の実施形態に限定されるものではなく、本発明の範囲を逸脱することなく種々の変形および修正が可能である。
【００８５】
なお、前述の実施形態の構成と実質的に同じ機能を有する構成については、同じ符号を付し、その詳細な説明は省略する。
【００８６】
（Ａ）光学ユニットの構成は前述のレンズ鏡筒３に限定されない。
【００８７】
（Ｂ）第１および第２枠ユニットの構成は、前述の第３レンズ枠ユニット７０に限定されない。例えば、第３レンズ枠ユニット７０には第３前側レンズ群Ｇ３Ａ、第３後側レンズ群Ｇ３Ｂ、絞りユニットＧＡ、シャッターユニットＧＳおよび振れ補正ユニットＧＢが搭載されているが、第３前側レンズ枠７３および第３後側レンズ枠７４にこれらの光学素子や光学調整ユニットが搭載されていなくてもよい。ここで、光学素子としては、例えばレンズ、プリズムおよびフィルタが挙げられ、光学調整ユニットとしては、例えば絞りユニット、シャッターユニットおよび振れ補正ユニットが挙げられる。
【００８８】
また、前述の形態では、板バネ７２が第３前側レンズ枠７３に装着されているが、板バネ７２が第３後側レンズ枠７４に装着されていてもよい。つまり、第３前側レンズ枠７３は第１枠ユニットの一例または第２枠ユニットの一例であってもよいし、第３後側レンズ枠７４は第１枠ユニットの一例または第２枠ユニットの一例であってもよい。
【００８９】
また、第３前側レンズ枠７３にキャップ７１が装着されているが、キャップ７１が第３前側レンズ枠７３に装着されていなくてもよい。また、キャップ７１が第３前側レンズ枠７３と一体成形されていてもよい。
【００９０】
（Ｃ）押圧部材の構成は前述の板バネ７２、３０３に限定されない。例えば、押圧部材の本体部が環状の部分でなくてもよい。また、押圧部の構成は前述の押圧部７２ｂ、３０２ｂに限定されない。
【００９１】
（Ｄ）ストッパー部材の構成は前述のキャップ７１に限定されない。例えば、ストッパー部材がベースプレート３０２のストッパー部３０２ｄのように第１または第２部材と一体成形されていてもよい。また、ベースプレート３０２のストッパー部３０２ｄがプレート本体３０２ａと別体であってもよい。
【００９２】
（Ｅ）第３レンズ群Ｇ３および第３前側レンズ枠７３は一体成形されていてもよい。つまり、「光学素子が第１枠ユニットに装着されている」には、光学素子が第１枠ユニットと別部材である場合も含まれ、さらには、光学素子が第１枠ユニットと一体成形されている場合も含まれる。また、「光学素子が第２枠ユニットに装着されている」には、光学素子が第２枠ユニットと別部材である場合も含まれ、さらには、光学素子が第２枠ユニットと一体成形されている場合も含まれる。
【００９３】
（Ｆ）前述の実施形態では、本体部７２ａが前側枠本体７３ｋに装着され押圧部７２ｂが第２位置決め部７４ｂおよび１７４ｂ（第２当接部）を第１位置決め部７３ａ（第１当接部）に押圧している。しかし、押圧部材が第１当接部と第２当接部とを挟み込んでいてもよい。
【００９４】
例えば、図２５に示すように、押圧部材２７２は、本体部７２ａおよび押圧部７２ｂに加えて、第２押圧部２７９を有している。第２押圧部２７９は本体部７２ａから押圧部７２ｂと反対側に配置されている。第１位置決め部７３ａおよび第２位置決め部７４ｂは押圧部７２ｂおよび第２押圧部２７９によりＹ軸方向に挟み込まれている。
【００９５】
第２押圧部２７９は、第１位置決め部７３ａを第２位置決め部７４ｂおよび１７４ｂに押圧している。第２押圧部２７９は、第２弾性支持部２７９ｃ、第２傾斜部２７９ｄおよび第２湾曲部２７９ｅを有している。
【００９６】
第２弾性支持部２７９ｃは本体部７２ａの外周部からＹ軸方向正側（第３前側レンズ枠７３側）に延びている。第２傾斜部２７９ｄは、第２弾性支持部２７９ｃの端部から円周方向に延びており、Ｙ軸方向に対して傾斜している。より詳細には、第２傾斜部２７９ｄは第２弾性支持部２７９ｃの端部から徐々に第３基準面７４ｅおよび１４７ｅに近づくように配置されている。第２湾曲部２７９ｅは、第２傾斜部２７９ｄの端部に配置されており、第３基準面２７４ｅおよび１４７ｅと接触している。第２湾曲部２７９ｅは半円状に湾曲している。
【００９７】
第２押圧部２７９を設けることで、第３前側レンズ枠７３に第３後側レンズ枠７４をより強固に連結することができる。
【００９８】
＜実施形態の特徴＞
実施形態の特徴を以下に列記する。なお、実施形態に含まれる発明は、以下の特徴に限られない。各構成要素の後ろに括弧書きで記載した情報は、特徴の理解を助けるために記載した具体例であり、各構成はこれらの具体例に限定されない。
【００９９】
（１）
第１の特徴に係る光学ユニット（７０、３００）は、
第１当接部（７３ａ、３０２ａ）を有する第１枠ユニット（７３、３０２）と、
前記第１枠ユニット（７３、３０２）と第１方向に並んで配置された部材であって、前記第１方向に前記第１当接部（７３ａ、３０２ａ）と当接する第２当接部（７４ｂ、１７４ｂ、３０１ａ）を有する第２枠ユニット（７４、３０１）と、
前記第１および第２枠ユニット（７３、７４、３０２、３０１）とは別部材であって、前記第２当接部（７４ｂ、１７４ｂ、３０１ａ）を前記第１当接部（７３ａ、３０２ａ）に押圧する押圧部材（７２、２７２、３０３）と、を備えている。
【０１００】
この光学ユニット（７０、３００）では、押圧部材（７２、２７２、３０３）により第１当接部（７３ａ、３０２ａ）に第２当接部（７４ｂ、１７４ｂ、３０１ａ）が押し付けられているので、第１枠ユニット（７３、３０２）に対して第２枠ユニット（７４、３０１）の位置決めを行うことができる。さらに、押圧部材（７２、２７２、３０３）が第１枠および第２枠ユニット（７４、３０１）と別部材となっているので、押圧部材（７２、２７２、３０３）を第１または第２枠ユニット（７３、７４、３０２、３０１）と一体成形する場合に比べて、温度変化や寸法誤差に伴う押圧力の変動を抑制でき、第１および第２枠ユニット（７３、７４、３０２、３０１）の装着状態がより安定する。
【０１０１】
以上より、この光学ユニット（７０、３００）であれば、第１枠ユニット（７３、３０２）および第２枠ユニット（７４、３０１）の位置決めおよび装着状態をより安定させることが可能となる。
【０１０２】
（２）
第２の特徴に係る光学ユニット（７０、３００）は、第１の特徴に係る光学ユニット（７０、３００）において、
前記第１枠ユニット（７３、３０２）は、前記第１および第２当接部（７４ｂ、１７４ｂ、３０１ａ）が互いに離れるように前記第１および第２枠ユニット（７３、７４、３０２、３０１）が相対移動したときに前記第１および第２枠ユニット（７３、７４、３０２、３０１）の相対移動を所定の範囲に規制する規制部（７３ｃ、３０２ｂ）を有している。
【０１０３】
この光学ユニット（７０、３００）では、第１枠ユニット（７３、３０２）が規制部（７３ｃ、３０２ｂ）を有しているので、過度の変形により押圧部材（７２、２７２、３０３）が破損するのを防止できる。
【０１０４】
（３）
第３の特徴に係る光学ユニット（７０、３００）は、第２の特徴に係る光学ユニット（７０、３００）において、
前記規制部（７３ｃ、３０２ｂ）は、前記第２当接部（７４ｂ、１７４ｂ、３０１ａ）に隣接して配置されており、
前記規制部（７３ｃ、３０２ｂ）と前記第２当接部（７４ｂ、１７４ｂ、３０１ａ）との間には、隙間（Ｃ、Ｃ１）が形成されている。
【０１０５】
（４）
第４の特徴に係る光学ユニット（７０、３００）は、第１から第３のいずれかの特徴に係る光学ユニット（７０、３００）において、
前記第１当接部（７３ａ、３０２ａ）は、前記第２当接部（７４ｂ、１７４ｂ、３０１ａ）と当接する第１支持面（７３ｂ、３０２ｍ）を有しており、
前記第２当接部（７４ｂ、１７４ｂ、３０１ａ）は、前記第１支持面（７３ｂ、３０２ｍ）と当接する第２支持面（７４ｄ、１７４ｄ、３０１ｍ）を有している。
【０１０６】
この光学ユニット（７０、３００）では、第１支持面（７３ｂ、３０２ｍ）および第２支持面（７４ｄ、１７４ｄ、３０１ｍ）により第１および第２枠ユニット（７３、７４、３０２、３０１）の第１方向の位置決めが容易となる。
【０１０７】
（５）
第５の特徴に係る光学ユニット（７０、３００）は、第４の特徴に係る光学ユニット（７０、３００）において、
前記第１支持面（７３ｂ、３０２ｍ）は、前記第１方向に概ね垂直であり、
前記第２支持面（７４ｄ、１７４ｄ、３０１ｍ）は、前記第１方向に概ね垂直である。
【０１０８】
この光学ユニット（７０、３００）では、第１および第２支持面（７４ｄ、１７４ｄ、３０１ｍ）が第１方向に概ね垂直であるので、押圧部材（７２、２７２、３０３）が第２当接部（７４ｂ、１７４ｂ、３０１ａ）を第１当接部（７３ａ、３０２ａ）に押圧しても、第１および第２枠ユニット（７３、７４、３０２、３０１）の位置が押圧部材（７２、２７２、３０３）の押圧力によりずれるのを防止できる。
【０１０９】
（６）
第６の特徴に係る光学ユニット（７０、３００）は、第４または第５の特徴に係る光学ユニット（７０、３００）において、
前記第２当接部（７４ｂ、１７４ｂ、３０１ａ）は、前記第１方向において前記第２支持面（７４ｄ、１７４ｄ、３０１ｍ）と反対側に配置され前記第２支持面（７４ｄ、１７４ｄ、３０１ｍ）と概ね平行な第３支持面（７４ｅ、１７４ｅ、３０１ｎ）を有しており、
前記押圧部材（７２、２７２、３０３）は、前記第３支持面（７４ｅ、１７４ｅ、３０１ｎ）を押圧している。
【０１１０】
この光学ユニット（７０、３００）では、押圧部材（７２、２７２、３０３）が第２当接部（７４ｂ、１７４ｂ、３０１ａ）を第１当接部（７３ａ、３０２ａ）に押圧しても、第１および第２枠ユニット（７３、７４、３０２、３０１）の位置が押圧部材（７２、２７２、３０３）の押圧力によりずれるのをより確実に防止できる。
【０１１１】
（７）
第７の特徴に係る光学ユニット（７０、３００）は、第６の特徴に係る光学ユニット（７０、３００）において、
前記第２当接部（７４ｂ、１７４ｂ、３０１ａ）は、前記第３支持面（７４ｅ、１７４ｅ、３０１ｎ）と隣接して配置され前記第１方向に対して傾斜する傾斜案内面を有している。
【０１１２】
（８）
第８の特徴に係る光学ユニット（７０、３００）は、第１から第７のいずれかの特徴に係る光学ユニット（７０、３００）において、
前記第１枠ユニット（７３、３０２）に装着された第１光学素子（Ｇ３Ａ）と、
前記第２枠ユニット（７４、３０１）に装着された第２光学素子（Ｇ３Ｂ）と、
前記第１光学素子（Ｇ３Ａ）と前記第２光学素子（Ｇ３Ｂ）との間に配置され前記第１および第２枠ユニット（７３、７４、３０２、３０１）のうち少なくとも一方に支持された光学調整ユニット（ＧＡ、ＧＳ、ＧＢ）と、をさらに備え、
前記光学調整ユニット（ＧＡ、ＧＳ、ＧＢ）は、絞りユニット（ＧＡ）、シャッターユニット（ＧＳ）および振れ補正ユニット（ＧＢ）のうち少なくとも１つを含んでいる。
【０１１３】
（９）
第９の特徴に係る光学ユニット（７０、３００）は、第１から第８のいずれかの特徴に係る光学ユニット（７０、３００）において、
前記押圧部材（７２、２７２、３０３）は、前記第１枠ユニット（７３、３０２）に装着された本体部と、前記本体部から前記第１方向の延び前記第２当接部（７４ｂ、１７４ｂ、３０１ａ）を前記第１当接部（７３ａ、３０２ａ）に押圧する第１押圧部（７２ｂ、３０３ｂ）と、を有している。
【０１１４】
この光学ユニット（７０、３００）では、押圧部材（７２、２７２、３０３）が本体部および第１押圧部（７２ｂ、３０３ｂ）を有しているので、第１枠ユニット（７３、３０２）に装着される部分と第２当接部（７４ｂ、１７４ｂ、３０１ａ）を押圧する部分とが別々の部分になり、第１枠ユニット（７３、３０２）に対する押圧部材（７２、２７２、３０３）の組み付けが容易となる。
【０１１５】
（１０）
第１０の特徴に係る光学ユニット（７０、３００）は、第９の特徴に係る光学ユニット（７０、３００）において、
前記第１押圧部（７２ｂ、３０３ｂ）は、前記第２当接部（７４ｂ、１７４ｂ、３０１ａ）に当接した状態でたわんでいる。
【０１１６】
（１１）
第１１の特徴に係る光学ユニット（７０、３００）は、第９または第１０の特徴に係る光学ユニット（７０、３００）において、
前記第１枠ユニット（７３、３０２）は、前記本体部が装着された第１枠本体（７３ｋ、３０２ａ）をさらに有しており、
前記第１枠本体（７３ｋ、３０２ａ）は、前記第１押圧部（７２ｂ、３０３ｂ）が挿入された開口（７３ｍ、７３ｎ、３０２ｆ）を有している。
【０１１７】
（１２）
第１２の特徴に係る光学ユニット（７０、３００）は、第１１の特徴に係る光学ユニット（７０、３００）において、
前記第２枠ユニット（７４、３０１）は、前記第１枠ユニット（７３）と前記第１方向に並んで配置された第２枠本体（７４ａ）を有しており、
前記第２当接部（７４ｂ、１７４ｂ）は、前記第２枠本体（７４ａ）から前記第１方向に突出しており、前記開口（７３ｍ、７３ｎ）内に挿入されている。
【０１１８】
（１３）
第１３の特徴に係る光学ユニット（７０）は、第１１または第１２の特徴に係る光学ユニット（７０）において、
前記第１枠ユニット（７３）に装着されたストッパー部材（７１）をさらに備え、
前記ストッパー部材（７１）は、前記開口内に挿入されたストッパー部（７１ｂ）を有している。
【０１１９】
（１４）
第１４の特徴に係る光学ユニット（７０）は、第１３の特徴に係る光学ユニット（７０）において、
前記ストッパー部（７１ｂ）は、前記開口内で前記第２当接部（７４ｂ、１７４ｂ）と並んで配置されている。
【０１２０】
（１５）
第１５の特徴に係る光学ユニット（７０）は、第９から第１４のいずれかの特徴に係る光学ユニット（７０）において、
前記押圧部材（７２、２７２）は、前記第１当接部（７３ａ）を前記第２当接部（７４ｂ、１７４ｂ）に押圧する第２押圧部（２７９）を有している。
【０１２１】
（１６）
第１６の特徴に係る光学ユニット（７０）は、第１５の特徴に係る光学ユニット（７０）において、
前記第２押圧部（２７９）は、前記第１当接部（７３ａ）と当接した状態でたわんでおり、前記第１当接部（７３ａ）に対して前記第１押圧部（７２ｂ）と反対側に配置されている。
【０１２２】
（１７）
第１５の特徴に係る光学ユニット（７０、３００）は、第１から第１６のいずれかの特徴に係る光学ユニット（７０、３００）において、
前記押圧部材（７２、２７２、３０３）は、弾性部材であり、
前記押圧部材（７２、２７２、３０３）の剛性は、前記第１枠ユニット（７３、３０２）の剛性よりも低い。
【産業上の利用可能性】
【０１２３】
本発明は、レンズ鏡筒に用いられる光学ユニットの分野で有用である。
【符号の説明】
【０１２４】
１  デジタルカメラ
２  外装部
３  レンズ鏡筒
４  ズームモータ
１０  固定枠
２０  直進枠
３０  駆動枠
４０  中間枠
５０  第１レンズ枠
６０  第２レンズ枠
７０  第３レンズ枠ユニット（光学ユニットの一例）
７１  キャップ（ストッパー部材の一例）
７１ｂ  ストッパー突起（ストッパー部の一例）
７２  板バネ（押圧部材の一例）
７２ａ  本体部（本体部の一例）
７２ｂ  押圧部（第１押圧部の一例、弾性押圧部の一例）
７２ｃ  弾性支持部
７２ｄ  傾斜部
７２ｅ  湾曲部
７３  第３前側レンズ枠（第１または第２部材の一例、第１または第２枠ユニットの一例）
７３ａ  第１位置決め部（第１または第２当接部の一例）
７３ｂ  第１基準面（第１または第２当接面の一例、第１または第２支持面の一例）
７３ｃ  規制部（第１または第２規制部の一例）
７３ｄ  規制面
７３ｅ  固定孔
７３ｇ  回転止め突起
７３ｋ  前側枠本体（第１または第２枠本体の一例）
７３ｍ  第１開口（開口の一例）
７３ｎ  第２開口（開口の一例）
７３ｐ  第１円筒部
７３ｒ  回転規制部
７３ｓ  第１円板部
７４  第３後側レンズ枠（第１または第２部材の一例、第１または第２枠ユニットの一例）
７４ａ  後側枠本体（第１または第２枠本体の一例）
７４ｂ  第２位置決め部（第１または第２当接部の一例）
７４ｃ  傾斜案内面（傾斜案内面の一例）
７４ｄ  第２基準面（第１または第２当接面の一例、第１または第２支持面の一例）
７４ｅ  第３基準面（第３支持面の一例）
１７４ｂ  第２位置決め部（第１または第２当接部の一例）
１７４ｃ  傾斜案内面（傾斜案内面の一例）
１７４ｄ  第２基準面（第１または第２当接面の一例、第１または第２支持面の一例）
１７４ｅ  第３基準面（第３支持面の一例）
８０  第４レンズ枠
９０  マスターフランジ
Ｇ１  第１レンズ群
Ｇ２  第２レンズ群
Ｇ３  第３レンズ群
Ｇ３Ａ  第３前側レンズ群（光学素子の一例、第１または第２光学素子の一例）
Ｇ３Ｂ  第３後側レンズ群（光学素子の一例、第１または第２光学素子の一例）
Ｇ４  第４レンズ群
ＧＡ  絞りユニット（光学調整ユニットの一例）
ＧＳ  シャッターユニット（光学調整ユニットの一例）
ＧＢ  振れ補正ユニット（光学調整ユニットの一例）
【図１】
2013213848.tif 000003
【図２】
2013213848.tif 000004
【図３】
2013213848.tif 000005
【図４】
2013213848.tif 000006
【図５】
2013213848.tif 000007
【図６】
2013213848.tif 000008
【図７】
2013213848.tif 000009
【図８】
2013213848.tif 000010
【図９】
2013213848.tif 000011
【図１０】
2013213848.tif 000012
【図１１】
2013213848.tif 000013
【図１２】
2013213848.tif 000014
【図１３】
2013213848.tif 000015
【図１４】
2013213848.tif 000016
【図１５】
2013213848.tif 000017
【図１６】
2013213848.tif 000018
【図１７】
2013213848.tif 000019
【図１８】
2013213848.tif 000020
【図１９】
2013213848.tif 000021
【図２０】
2013213848.tif 000022
【図２１】
2013213848.tif 000023
【図２２】
2013213848.tif 000024
【図２３】
2013213848.tif 000025
【図２４】
2013213848.tif 000026
【図２５】
2013213848.tif 000027